(57)【特許請求の範囲】
【請求項１】
表示窓を有する金属薄板よりなる上カバーと、下カバーと、前記上カバーと下カバーとの周囲に設けられた内部スペースを規定する枠体よりなるケース体と、回路基板と、電池ホルダとを有する表示付き携帯型電子機器において、前記回路基板のグランド端子に電気接続された少なくとも３つの腕部を有する板バネ部材を設け、第１の腕部は、第１のカバーに圧接可能に立ち曲がり、第２の腕部は、第２のカバーに圧接可能に立ち曲がり、第３の腕部は、前記回路基板上に設けられたスイッチパターンに接触可能に立ち曲げられていることを特徴とする携帯型電子機器。
【請求項２】
前記第１のカバーまたは第２のカバーの前記第３の腕部に対応した位置に、第３の腕部を操作する操作用貫通穴が設けられていることを特徴とする請求項１記載の携帯型電子機器。
【請求項３】
前記第１の腕部または第２の腕部は、前記回路基板の開口部を通して板バネ部材取り付け部の反対側のカバー部材に圧接されていることを特徴とする請求項１記載の携帯型電子機器。
【請求項４】
前記板バネ部材は、前記回路基板の周辺部に取り付けられていることを特徴とする請求項１記載の携帯型電子機器。
【請求項５】
前記カバー部材の少なくとも一方には、絞り加工部が設けられ、前記第３の腕部の操作用貫通穴が、絞り加工部の段差部分近傍に設けられていることを特徴とする請求項２記載の携帯型電子機器。
【発明の詳細な説明】
【０００１】
【発明の属する技術分野】
本発明は、その本体内部に情報記憶機能を有し、パソコン等の外部端末機と接続して必要な情報を本体表示面に表示することができる携帯型電子機器に関するものである。
【０００２】
【従来の技術】
近年、メモリカード本体に、液晶セル、回路基板、コネクタ等を有する携帯型電子機器としてのメモリカードが多数登場している。従来の携帯型電子機器としのＩＣカードで、例えば、特開平８−５８２７５号公報にその技術が開示されている。以下その概要について説明する。
【０００３】
図９は、ＩＣカードの断面図である。  図９において、ＩＣカード１００は、回路基板１０１と、この回路基板１０１に取り付けられたＩＣチップ等の電気部品１０２とで構成されている。この回路基板１０１と電気部品１０２とは、両面が封止層１０３で一体に封止されて薄板状になっている。
【０００４】
この封止層１０３には、表裏面から回路基板１０１に至る複数個（例えば、４個）の孔１０４が形成されている。この孔１０４を通して外部と連通する回路基板１０１の露出面には、グランド電極１０５が配設され、その両端が封止層１０３で封止されている。
【０００５】
前記孔１０４の中には、金属バネ１０６が挿入され、この金属バネ１０６を付勢した状態で外装金属板１０７が、封止層１０３の両面に貼り付けられている。これによって、グランドとなる外装金属板１０７と回路基板１０１とが電気的に接続され、電磁シールドとしての役割を果して外部からの外乱成分を除去することができるようになり、回路基板１０１に帯電した電荷が放電される。
【０００６】
一方、回路基板１０１の右端には、一対の金属片１０８を介してコネクタ１０９が接続されている。この金属片１０８は、封止層１０３で回路基板１０１と一体に封止されており、また、コネクタ１０９は、封止層１０３の肉厚と同一になるように設定されている。
【０００７】
【発明が解決しようとする課題】
しかしながら、前述したＩＣカードには次のような問題点がある。即ち、上述したように、回路基板のグランド端子に電気接続する金属バネを取着するのに、封止層に４個の貫通孔を設け、金属バネも４個使用するため、加工工数、部品コスト及び組み込み工数等を要し、コストアップになるという問題があった。
【０００８】
本発明は、上記従来の課題に鑑みなされたものであり、その目的は、上カバーと下カバー及び回路基板との３つの間でのＧＮＤを容易に行うことができ、更に、外部からの操作可能なリセット機能を備えた携帯型電子機器を提供するものである。
【０００９】
【課題を解決するための手段】
上記目的を達成するために、本発明における携帯型電子機器は、表示窓を有する金属薄板よりなる上カバーと、下カバーと、前記上カバーと下カバーとの周囲に設けられた内部スペースを規定する枠体よりなるケース体と、回路基板と、電池ホルダとを有する表示付き携帯型電子機器において、前記回路基板のグランド端子に電気接続された少なくとも３つの腕部を有する板バネ部材を設け、第１の腕部は、第１のカバーに圧接可能に立ち曲がり、第２の腕部は、第２のカバーに圧接可能に立ち曲がり、第３の腕部は、前記回路基板上に設けられたスイッチパターンに接触可能に立ち曲げられていることを特徴とするものである。
【００１０】
また、前記第１のカバーまたは第２のカバーの前記第３の腕部に対応した位置に、第３の腕部を操作するための操作用貫通穴が設けられていることを特徴とするものである。
【００１１】
また、前記第１の腕部または第２の腕部は、前記回路基板の開口部を通して板バネ部材取り付け部の反対側のカバー部材に圧接されていることを特徴とするものである。
【００１２】
また、前記板バネ部材は、前記回路基板の周辺部に取り付けられていることを特徴とするものである。
【００１３】
また、前記カバー部材の少なくとも一方には、絞り加工部が設けられ、前記第３の腕部の操作用貫通穴が、絞り加工部の段差部分近傍に設けられていることを特徴とするものである。
【００１４】
【発明の実施の形態】
以下図面に基づいて本発明における携帯型電子機器について説明する。図１は、本発明の実施の形態における携帯型電子機器としてのＬＣカードに係わり、図１は、ＬＣカードの正面図、図２は、図１の裏面図、図３は、図１の下面図である。
【００１５】
図１及び図３において、ＬＣカード１は、名刺サイズ型の規格品に準拠し、例えば、Ｌ＝略８５．６ｍｍ、Ｗ＝略５４ｍｍ、Ｔ＝略５ｍｍ（ＭＡＸ）の薄肉の長方形をしたカード本体２を備え、ＬＣカード１の表面となるカード本体２の表面の中央には、液晶表示素子によって構成された液晶セル３の表示部４が、カード本体２の長手方向に沿って長方形状に配設されている。カード本体２の表面右端寄りには、カード本体２の幅方向に沿って、所定の間隔で操作入力キー５ａ、５ｂ、５ｃ、５ｄ、５ｅを有する操作部材５が設けられている。前記操作入力キーの機能は、例えば、５ａは、ページリターン、５ｂは、ページめくり、５ｃは、入力、５ｄ及び５ｅは、カーソル移動等の機能キーである。ＬＣカード１には、例えば、予定表、時間、カレンダー、住所等の様々な活用形態がある。
【００１６】
図１及び図３に示すカード本体２の左側端面には、ＬＣカード１をバソコン等の外部装置に設けられたコネクタと接続可能な多数の信号端子及び外部電源供給端子が並設されたＰＣＭＣＩＡの規格に準拠したコネクタ７が、後述する回路基板に一体化されて設けられている。前記ＬＣカード１のコネクタ７をパソコン等のコネクタと接続して、パソコン等のデータをＬＣカード１に記憶することができる。
【００１７】
また、図１に示すカード本体２の右側端部には、前記操作部材５の下面位置には、２個の電池（図示せず）を収納し、それぞれ別個に挿脱可能な構造にした後述する電池ホルダが設けられている。
【００１８】
前記カード本体２を外装するケース体８は、表示窓６を有する金属製の薄板（例えば、厚み＝略０．１５ｍｍ）よりなる上カバー８ａと、下カバー８ｂと、前記上カバー８ａと下カバー８ｂとの周囲に設けられた内部スペースを規定するプラスチック材よりなる枠体９が（図４）、上カバー８ａにアウトサートモールドされている。
【００１９】
図２に示すように、上カバー８ａの枠体９（図４）の四隅には、下カバー８ｂをビス止めするネジ穴９ａが配設されている。前記下カバー８ｂの強度を増すために、下カバー８ｂの外周部に絞り加工が施されている。絞り加工部８ｄの段差部分近傍に、後述する板バネ部材の第３の腕部を操作する操作用貫通孔８ｅが形成されている。
【００２０】
図４は、図２の下カバーを取り外した時の裏面図である。図４において、枠体９の内側に形成された位置決めガイドに、液晶セル３の端部を合わせて上カバー８ａに落とし込み両面テープ等の固着手段で接着する。
【００２１】
前記液晶セル３と回路基板１２とは、側面においてＦＰＣ１１で接続されている。また、前記回路基板１２には、前記コネクタ７の端子が回路基板１２を挟み込むように、半田付け等により一体化されている。１３はスイッチブロックであり、上カバー８ａに設けられた凹部内に位置決め固定され、上カバー８ａの一部に設けれた接続孔８ｃを通して、スイッチブロック１３のＦＰＣ１３ａを回路基板１２のコネクタ１２ｂに接続している。
【００２２】
前記液晶セル３の底面にＦＰＣ１１を折り曲げて、回路基板１２を重ね合わせる。この時コネクタ７は両面テープ等の固着手段で上カバー８ａの裏面に接着される。この回路基板１２の一端に電池ホルダ１０を取り付ける。この際、枠体９に形成さているカシメピン９ｅ及び９ｆに、前記電池ホルダ１０と、回路基板１２のカシメ部を位置合わせして、熱カシメすることにより、枠体９に電池ホルダ１０及び回路基板１２を同時に一体化することができる。
【００２３】
前記電池ホルダ１０は、上述の２個の図示しない電池を並列にして収納する樹脂製の電池枠１０ａと、この電池枠１０ａと一体になり電池を挿脱する際に、その根元で可撓して開閉する２つの蓋部１０ｂと、２本の電池接点バネ１０ｃとよりなり、マイナス側の２本の電池接点バネ１０ｃの先端部１０ｄは、それぞれ前記回路基板１２上の端子１２ａに半田付け等により接続されている。一方、プラス側の２本の電池接点バネ１０ｅの先端部１０ｆは、電池収納時に電池側面に当接するように付勢されている。
【００２４】
前記回路基板１２上には、データ記憶用の揮発メモリとしてのＳＲＡＭ１４、表示装置を表示駆動するためのドライバ等を収納したゲートアレイのＩＣ１５、記憶されたデータを揮発性メモリから読み出し、表示部４に表示するためのＣＰＵ１６及びＲＯＭ１７により構成される制御装置等が実装されている。
【００２５】
前記回路基板１２の周辺部に形成されたグランド（ＧＮＤ）端子１２ｃに、後述する板バネ部材１８が半田付けされている。
【００２６】
図５は、図４において、板バネ部材をＢ方向から見た状態の拡大図、図６は、図５の下面図、図７は、板バネ部材を回路基板に取り付けた状態を示す断面図である。
【００２７】
図５及び図６において、前記板バネ部材１８は、ＳＵＳ材等の薄板をプレス加工により成形して、少なくとも３つの腕部を有し、第１の腕部１８ａは、その先端部ａで第１のカバー（上カバー８ａ）に圧接可能に立ち曲がり、第２の腕部１８ｂは、その先端部ｂで第２のカバー（下カバー８ｂ）に圧接可能に立ち曲がり、第３の腕部は１８ｃは、その先端部ｃで前記回路基板１２上に設けられたスイッチパターン１２ｄ（図４参照）に接触可能に立ち曲げられている。第３の腕部１８ｃの上面は、操作用貫通穴８ｄ（図２参照）に対応する押圧部ｄが形成されている。前記３つの腕部はバネ性を有し、回路基板１２に位置決めする２本の位置決め部１８ｄが形成されている。
【００２８】
図７において、前記板バネ部材１８は、位置決め部１８ｄを回路基板１２のグランド端子１２ｃ（図４参照）に位置決めし、半田付け部１８ｅで半田付けされる。前記第１の腕部１８ａは、回路基板１２の周辺部に切り欠かかれた開口部１２ｅ（図４参照）を通して板バネ部材１８の取り付け部と反対側の上カバー８ａの底面に、その先端部ａが圧接されている。同時に、第２の腕部１８ｂは、下カバー８ｂの底面に、その先端部ｂが圧接されている。
【００２９】
前述したように、下カバー８ｂの強度を増すために、下カバー８ｂの外周部に絞り加工が施されている。絞り加工部８ｄの段差部分近傍に、板バネ部材１８の第３の腕部１８ｃを操作する操作用貫通穴８ｅが形成されている。前記回路基板１２には、前記コネクタ７の端子７ａが回路基板１２を挟み込むように、半田付け部７ｂで半田により一体化されている。
【００３０】
図８は、下カバーに形成した操作用貫通穴と板バネ部材との位置関係を示す、図２矢印Ａ部の部分拡大図である。図において、板バネ部材１８の位置を破線で示している。操作用貫通穴８ｅから第３の腕部１８ｃの押圧部ｄを覗き見ることができる。操作用貫通穴８ｅは絞り加工部８ｄの段差部分近傍に配設されているので、強度的に強く、この部分に不用意な外力が加わっても下カバー８ｂは容易に変形せず、第３の腕部１８ｃの押圧部ｄを押すことはない。
【００３１】
以上の構成により、板バネ部材１８の、第１の腕部１８ａと第２の腕部１８ｂは、回路基板１２を挟んで対向する、グランドとなる上カバー８ａと下カバー８ｂをそれぞれ押圧し、カバー部材と回路基板１２とが電気的に接続する。更に、第３の腕部１８ｃを外部からの操作で回路基板１２上のスイッチパターン１２ｄと接触してリセット機能を発揮するものである。
【００３２】
【発明の効果】
以上説明したように、本発明による携帯型電子機器は、名刺サイズの大きさで、且つ、標準規格のＰＣＭＣＩＡタイプのＬＣカードであり、少なくとも３つの腕部を持つ１個の板バネ部材を回路基板の周辺部に取り付ける簡単な構造で、２つの腕部は、グランドとなるカバー部材と回路基板とを電気的に接続させ、磁気シールドとしての役割を果して外部からの外乱成分を除去することができ、回路基板に帯電した電荷を放電することができる。更に、他の１つの腕部は、操作用貫通穴をピン等で操作して、回路基板上のスイッチパターンと接触させることにより、リセット機能を持つ、安価で多機能な一体部材よりなる板バネ部材の構造を具備した携帯型電子機器を提供することが可能になった。
【図面の簡単な説明】
【図１】本発明の実施の形態に係わるＬＣカードの表面側の正面図である。
【図２】図１のＬＣカードの裏面図である。
【図３】図１のＬＣカードの下面図である。
【図４】図２の下カバーを取り外した時の内部構成を示す裏面図である。
【図５】本発明の実施の形態に係わる板バネ部材を図４のＢ方向から見た状態の拡大図である。
【図６】図５の板バネ部材の下面図である。
【図７】図５の板バネ部材を回路基板に位置決め固定した状態の断面図である。
【図８】図５の板バネ部材と下カバーに形成した操作用貫通穴との位置関係を示す、図２矢印Ａ部の部分拡大図である。
【図９】従来のＩＣカードの断面図である。
【符号の説明】
１  携帯型電子機器（ＬＣカード）
２  カード本体
３  液晶セル
４  表示部
５  操作部材
６  表示窓
７  コネクタ
８  ケース体
８ａ  上カバー
８ｂ  下カバー
８ｃ  接続孔
８ｄ  絞り加工部
８ｅ  操作用貫通穴
９  枠体
９ｅ、９ｆ  カシメピン
１０  電池ホルダ
１０ａ  電池枠
１０ｃ、１０ｅ  電池接点バネ
１１  ＦＰＣ
１２  回路基板
１２ｃ  ＧＮＤ端子
１２ｄ  スイッチングパターン
１２ｅ  開口部
１３  スイッチブロック
１６  ＣＰＵ
１８  板バネ部材
１８ａ  第１の腕部
１８ｂ  第２の腕部
１８ｃ  第３の腕部
【図１】
0003816209.tif 000002
【図２】
0003816209.tif 000003
【図３】
0003816209.tif 000004
【図４】
0003816209.tif 000005
【図５】
0003816209.tif 000006
【図６】
0003816209.tif 000007
【図７】
0003816209.tif 000008
【図８】
0003816209.tif 000009
【図９】
0003816209.tif 000010